(57)【特許請求の範囲】
【請求項１】
その表面に円周方向に延びる溝部が形成された記録ドラムと、
前記記録ドラムを回転させるモータと、
前記記録ドラムに対して刷版を搬送する刷版搬送機構と、
前記溝部に対向するようにして前記記録ドラム表面に固定された刷版に対し、光ビームを照射することにより、描画を行う記録ヘッドと、
前記刷版を押圧する側の一方側部と他方側部とを有する刷版固定板と、当該刷版固定板を、前記一方側部が、刷版の配置高さよりも高い位置と、刷版の表面に接触する位置との間で回転自在に支持するシャフトと、前記他方側部を前記記録ドラム表面から離反する方向に前記刷版固定板を付勢するスプリングと、を備え、前記刷版の前端部分を押圧して固定する前端クランプと、
前記溝部内に固定された摺動面を有する下部分と、当該摺動面に沿ってその自重によって摺動可能であって、前記刷版の前端部分であって前記記録ヘッドによって描画が行われる領域を裏面から支持するための支持面を有する上部分と、を有する支持部材と、
前記記録ドラムへの刷版搬送時には前記クランプの前記他方側部に当接して前記刷版押圧板をシャフトを中心に回動させて前記一方側部を開放する前端クランプ押圧装置と、を有する描画装置であって、
前記記録ドラムへの刷版搬送時には前記上部分の支持面が前記記録ドラム表面よりも下に配置され、前記モータにより記録ドラムが高速回転する時には前記上部分が下部分の摺動面に沿って上方に移動して前記支持面が前記刷版を裏面から支持し、当該刷版が前記溝部に沈下する方向の変形を防ぐことを特徴とする描画装置。
【発明の詳細な説明】
【０００１】
【発明の属する技術分野】
本発明は、シート状の感光材料を記録ドラムの外周面に固定し、該感光材料に描画を行う描画装置に関する。
【０００２】
【従来技術】
【０００３】
種々の感光材料に対して光を照射して描画を行うために描画装置が用いられている。ドラム型の描画装置では、主走査方向に回転可能な記録ドラム上に感光材料が装着され、レーザダイオード等を備えた記録ヘッドが記録ドラムの回転軸と平行な副走査方向に移動して感光材料に描画を行う。
【０００４】
図１７は、従来の描画装置の記録ドラム１１０の概略側面図である。記録ドラム１１０は側部１９５に対して回転自在に保持されている。記録ドラム１１０には、感光材料としてアルミニウム製の刷版１２０が装着される。記録ドラム１１０の外周面には、刷版１２０の一端を固定する前端クランプ１３０が固定されるとともに、刷版１２０の後端を固定する後端クランプ１６０が着脱自在に取り付けられている。前端クランプ１３０は、前端クランプ押圧装置１７０から伸縮する解除ピン１７１によってその一端が押圧されることにより開閉する。後端クランプ１６０は、通常は後端クランプ保持装置１８０の保持ピン１８１によって保持され、刷版１２０の後端が該保持装置１８０に対向したときに保持ピン１８１から記録ドラム１１０に移され、後述のクランプ溝１１１に係合することで固定される。
【０００５】
図１８は、記録ドラム１１０の斜視図である。図１８に示すように、記録ドラム１１０の外周面には、円周方向に延びる複数のクランプ溝１１１が形成されている。記録ドラム１１０の外周面上には複数の前端クランプ１３０および複数の後端クランプ１６０が設けられている。
【０００６】
複数の前端クランプ１３０は、記録ドラム１１０の軸方向に沿って配列され、記録ドラム１１０の外周面に固定されている。複数の後端クランプ１６０は、記録ドラム１１０の軸方向に沿って配列され、それぞれクランプ溝１１１に沿って円周方向に移動可能に記録ドラム１１０の外周面に取り付けられている。
【０００７】
図１９は後端クランプ１６０の分解斜視図、図２０は後端クランプ１６０の長手方向の一部断面図である。
【０００８】
図１９、図２０に示すように、後端クランプ１６０は、クランプ本体１６１とクランプボルト連結板１６２、係合部材１６３、２つの第１クランプボルト１６４、２つの第２クランプボルト１６５、２つのねじ１６６、２つの板ばね１６７、および４つのスプリング１６８により構成される。
【０００９】
クランプ本体１６１の中央部には矩形の凹部１６９が設けられ、凹部１６９の両側にそれぞれ矩形の凹部１７０が設けられている。クランプ本体１６１の両端部近傍には、それぞれ保持孔１７１が設けられている。保持孔１７１は円形部分と幅狭部分とからなる。保持孔１７１には、後述する後端クランプ保持装置１８０の保持ピン１８１がそれぞれ挿入される。
【００１０】
クランプボルト連結板１６２は、凹部１６９、１７０の側面を貫通して３つの凹部１６９、１７０内で矢印Ｓの方向に摺動自在に設けられている。係合部材１６３は凹部１６９内でクランプボルト連結板１６２に固定されている。係合部材１６３の係合孔１６３ａには、後端クランプ保持装置１８０の駆動ピン１８２が係合する。クランプボルト連結板１６２の両端部近傍には、長孔１６２ａがそれぞれ形成されている。
【００１１】
第２クランプボルト１６５の外周面には両側方に突出する突出部１６５ａが設けられている。第２クランプボルト１６５は、クランプ本体１６１の凹部１７０の底面に設けられた孔１７０ａに挿入される。第２クランプボルト１６５の頭部には、ねじ１６６により第１クランプボルト１６４が取り付けられる。第１クランプボルト１６４の下面には突起１６４ａが設けられている。第１クランプボルト１６４の突起１６４ａはクランプボルト連結板１６２の長孔１６２ａに係合する。それにより、係合部材１６３を矢印Ｓ方向にスライドすると、係合部材１６３とともにクランプボルト連結板１６２が矢印Ｓの方向に摺動し、第１クランプボルト１６４が第２クランプボルト１６５とともに矢印Ｑ方向に回動する。
【００１２】
図２０に示すように、記録ドラム１１０に形成されたクランプ溝１１１の両側面の上端に、内側に突出する内側縁部１１３が設けられている。図２０に示すように、第２クランプボルト１６５の突出部１６５ａがクランプ溝１１１と平行に位置する場合には、突出部１６５ａがクランプ溝１１１の内側縁部１１３に係合しない。この場合、後端クランプ１６０を記録ドラム１１０から取り外すことができる。
【００１３】
一方、図２１に示すように、第２クランプボルト１６５の突出部１６５ａが記録ドラム１１０のクランプ溝１１１と垂直に位置する場合には、突出部１６５ａがクランプ溝１１１の内側縁部１１３に係合する。それにより、後端クランプ１６０が記録ドラム１１０に固定される。
【００１４】
【発明が解決しようとする課題】
描画装置の感光材料固定部材には、上述したクランプ溝１１１のような溝部が形成されることがある。溝部には他に、感光材料を剥離する剥離爪を進入させるための溝部、感光材料を真空吸引するための吸引溝などが考えられる。
【００１５】
感光材料をこのような溝部に対向させた状態で固定すると、感光材料が溝部に沈み込んで変形する恐れがある。その変形が記録ヘッドの光学系の焦点深度を超える程大きい場合には、感光材料に正常な画像が描画されなくなる。
【００１６】
【課題を解決するための手段および発明の効果】
（１）第１の発明
【００１７】
第１の発明に係る描画装置は、その表面に円周方向に延びる溝部が形成された記録ドラムと、前記記録ドラムを回転させるモータと、前記記録ドラムに対して刷版を搬送する刷版搬送機構と、前記溝部に対向するようにして前記記録ドラム表面に固定された刷版に対し、光ビームを照射することにより、描画を行う記録ヘッドと、前記刷版を押圧する側の一方側部と他方側部とを有する刷版固定板と、当該刷版固定板を、前記一方側部が、刷版の配置高さよりも高い位置と、刷版の表面に接触する位置との間で回転自在に支持するシャフトと、前記他方側部を前記記録ドラム表面から離反する方向に前記刷版固定板を付勢するスプリングと、を備え、前記刷版の前端部分を押圧して固定する前端クランプと、前記溝部内に固定された摺動面を有する下部分と、当該摺動面に沿ってその自重によって摺動可能であって、前記刷版の前端部分であって前記記録ヘッドによって描画が行われる領域を裏面から支持するための支持面を有する上部分と、を有する支持部材と、前記記録ドラムへの刷版搬送時には前記クランプの前記他方側部に当接して前記刷版押圧板をシャフトを中心に回動させて前記一方側部を開放する前端クランプ押圧装置と、を有する描画装置であって、前記記録ドラムへの刷版搬送時には前記上部分の支持面が前記記録ドラム表面よりも下に配置され、前記モータにより記録ドラムが高速回転する時には前記上部分が下部分の摺動面に沿って上方に移動して前記支持面が前記刷版を裏面から支持し、当該刷版が前記溝部に沈下する方向の変形を防ぐことを特徴とするものである。
【００１８】
本発明に係る描画装置においては、支持部材が感光材料としての刷版を支持するので溝部内に感光材料としての刷版が落ち込んで変形することがない。
【００１９】
また、この場合、支持部材の上部分は、描画時のみ感光材料固定部材としての記録ドラム表面から突出する方向に付勢され刷版を裏面から支持する。そのため描画時以外、たとえば感光材料としての刷版を感光材料固定部材としての記録ドラムに供給するようなときには、上部分が付勢されていないので該上部分が感光材料の供給作業を妨げることがない。
【００２０】
また、この場合、感光材料としての刷版は記録ドラムに固定される。記録ドラムの回転によって発生する遠心力により、該上部分は記録ドラム表面から突出する方向に付勢される。このように、上部分の付勢をより簡易な構成で行うことができる。
【００２１】
また、これによれば、溝部係合方式の感光材料端部固定手段を採用しても、感光材料としての刷版の描画品質が劣化することがない。
【００２２】
さらに、この場合、感光材料固定部材に固定される刷版には刷版変形による描画品質の劣化が生じることがない。
【００２３】
【実施態様】
図１は、本発明にかかる描画装置の記録ドラム１の概略側面図である。記録ドラム１は側部９７に対して回転自在に保持されている。記録ドラム１には、感光材料としてアルミニウム製の刷版２が装着される。記録ドラム１の外周面には、刷版２の一端を固定する前端クランプ３と、刷版２の後端を固定する後端クランプ９０とが取り付けられている。後端クランプ９０は内蔵された係止機構を後述する後端クランプ溝１５（図３参照）に対して係止させることで、記録ドラム１上の所望位置に固定される。後端クランプ９０は通常、後端クランプ保持装置９４の保持ピン９５によって保持されている。後端クランプ９０は、描画開始前に保持ピン９５から離れ、記録ドラム１上の刷版２の後端に対向する位置に固定される。記録ドラム１は刷版２を装着した状態でモータ４によって回転する。刷版２に対しては記録ヘッド９６から出射されたレーザ光による描画を行う。
【００２４】
図２は刷版２の前端部分を示している。刷版２は矢印Ｂ方向に搬送されて記録ドラム１の周面に装着される。刷版２の前端辺２８には切欠２６、２６が形成され、刷版２の両側部には掛止孔２７、２７が形成されている。
【００２５】
図３と図４を参照して、刷版２の前端部分が位置する記録ドラム１の周面領域を説明する。図３は、前端クランプ３が固定される記録ドラム１の一部分を刷版搬送方向（矢印Ｂ方向）の逆方向から見た分解斜視図である。図４はこの部分を刷版搬送方向（矢印Ｂ方向）から見た分解斜視図である。
【００２６】
記録ドラム１の周面には、刷版２を真空吸引によって固定するために設けられた、記録ドラム１の円周方向に延びる吸引溝１１と記録ドラム１の軸方向に延びる吸引溝１２、後端クランプ６を記録ドラム１に固定するための後端クランプ固定溝１５、記録ドラム１の周面から刷版２を剥離する際に使用される溝１３、位置決めピン１６が取り付けられる円形凹部１７、平坦部１８（図中斜線で示される領域）、後述する刷版支持装置７を取付固定するための凹部１４等が形成されている。
【００２７】
刷版２の前端部分が位置する記録ドラム１の周面領域（平坦部１８）には記録ドラム１の軸方向に沿って６個の前端クランプ３（図３、４中にはその内の１個のみを示す）、２個の掛止ピン駆動装置５（図３、４中にはその内の１個のみを示す）、２個の位置決めピン１６（図３、４中にはその内の１個のみを示す）、６個の刷版支持装置７（図３、４中には図示せず）が配置されている。
【００２８】
図５と図６を用いて平坦部１８を説明する。図５は、説明のために記録ドラム１から前端クランプ３や位置決めピン１６等を除去した斜視図である。
【００２９】
図６は、記録ドラム１の一部断面図（平坦部１８近傍領域の断面）である。
【００３０】
図５に示されるように、平坦部１８には掛止ピン駆動機構５を固定するための凹部２１、後述する軸受４０を固定するための凹部１９、スプリング固定用の円形凹部２０が形成されている。また平坦部１８に平行して他方端収納溝２４が形成されている。
【００３１】
図５、図６、両図に示されるように、掛止ピン駆動機構５に対向する部分の平坦部１８は凹部２１と他方端収納溝２４からなる。さらに凹部２１は正方凹部２２と長方凹部２３とからなる。正方凹部２２の底面には第１レバー収納穴２２ａが穿たれている。
【００３２】
一方、長方凹部２３の底面には円形穴２３ａが形成されている。各凹部２２、２３および穴２２ａ、２３ａ、溝２４の底面の深さを記録ドラム１の表面を基準にして表すと、長方凹部２３（ｄ１）、他方端収納溝２４（ｄ２）、正方凹部２２（ｄ３）、円形穴２３ａ（ｄ４）、第１レバー収納穴２２ａ（ｄ５）の順で大きくなっている。
【００３３】
刷版２は、その前端部分に形成された切欠２６、２６を記録ドラム１上の位置決めピン１６、１６にはめ込むことによって、記録ドラム１の円周方向および軸方向に関する位置決めがなされる。そして、刷版２の前端部分は刷版固定板３１の一方側部３１ａで押圧することで記録ドラム１上に固定される。次に、刷版２の掛止孔２７を掛止ピン駆動機構５の後述する掛止ピン５２に掛止させることで刷版２は記録ドラム１の円周方向に関する移動が制限される。
【００３４】
図７は前端クランプ３の底面図である。図３、４、７を参照して前端クランプ３の構造を説明する。前端クランプ３は、刷版２の前端部分を押圧して記録ドラム１上に固定するための部材であり、刷版固定板３１と、軸受４０、４０、シャフト４１、スペーサ４２、ボルト４３、スプリング（図示せず）、スプリング固定ピン３５とからなっている。
【００３５】
刷版固定板３１は刷版２を押圧する一方側部３１ａと他方側部３１ｂとを有する。一方側部３１ａの裏面（刷版２に接触する側）にはセラミック加工等が施され刷版２の保持を確実にするための細かな凹凸が存在する。刷版固定板３１の裏面にはシャフト４１が、刷版固定板３１の図示しない孔に貫装されている。該シャフト４１はボルト４３、４３によって左右方向の移動が規制され、４個のスペーサ４２によって位置決めされた状態で２個の軸受４０が貫装されている。刷版固定板３１の他方側部３１ｂ側の裏面には２本のスプリング固定ピン３５が立設される。該固定ピン３５には図示しないスプリングが取り付けられる。刷版固定板３１の一方側部３１ａ側には２個の長孔３２が形成され、他方側部３１ｂ側には２個の矩形孔３３が形成される。長孔３２は前端クランプ３によって刷版２が確実に押圧されているか否かを検出する光センサの検出窓である。一方、矩形孔３３は掛止ピン駆動機構５を作動させる際に使用される。詳細は後述する。
【００３６】
＜掛止ピン駆動機構５＞
【００３７】
次に、図８、図９を参照して掛止ピン駆動機構５を説明する。図９は掛止ピン駆動機構５の断面を刷版固定板３１と併せて示す断面図である
【００３８】
掛止ピン駆動機構５は記録ドラム１表面の正方凹部２２に固着されている。掛止ピン駆動機構５は主に、溝５２を有する台座５１と、第１レバー５６、第２レバー５８とからなる。台座５１は正方凹部２２にネジ止め固定されている。第１レバー５６と第２レバー５８とは台座５１の溝５２にはめ込まれており、第１レバー５６は支持ピン５７によって、第２レバー５８は支持ピン５９によって、それぞれ台座５１に回動可能に取り付けられている。
【００３９】
第１レバー５６は棒状の部材であり突起５４が付加されている端部（入力端部５６ｂ）ともう一方の端部（出力端部５６ａ）を有する。突起５４は刷版押圧板３１の矩形孔３３を通過し、該刷版押圧板３１の上方に突出することができる。入力端部５６ｂの裏面はスプリング６４により上方に付勢されている。出力端部５６ａには長手方向に伸びるスリット６０が形成されており、このスリット６０には結合ピン６２がこのスリット６０に沿って移動可能にはめ込まれている。
【００４０】
結合ピン６２の両端部は第２レバー５８に固着されており、これにより第１レバー５６と第２レバー５８はリンクされている。
【００４１】
第２レバー５８は棒状部材であり、第１レバー５６とリンクされている方の端部を入力端部５８ａと呼び、もう一方の、掛止ピン５３が付加されている端部を出力端部５８ｂと呼ぶ。
【００４２】
掛止ピン駆動機構５の第１レバー５６の突起５４を降下させると、第１レバー５６の出力端部５６ａが上昇し、結合ピン６２が上昇すると、第２レバー５８の入力端部５８ｂが上昇する。これにより第２レバー５８は時計方向に回動し、第２レバー５８の出力端部５８ａおよび掛止ピン５３が加工する。このように、第１レバー５６の入力端部５６ｂを上下させることで第２レバー先端に設けられた掛止ピン５３を刷版２の掛止孔２７に対して掛止・離脱させることができる。
【００４３】
＜掛止ピン駆動機構９の動作＞
【００４４】
図９、図１０、図１１、図１２は掛止ピン駆動機構５の断面を刷版固定板３１と併せて示す断面図である。これらの図を用いて刷版２の固定に至るまでの動作を説明する。
【００４５】
先に図１を用いて説明したように、前端クランプ３と掛止ピン駆動機構５とは押圧装置９１の解除バー９２によって開閉されるものである。
【００４６】
まず記録ドラム２を回転させて前端クランプ３の他方側部３１ｂを解除バー９２に対向させる。
【００４７】
押圧装置９１によって解除バー９２を記録ドラム１に向けて移動させる。解除バー９２は、刷版押圧板３１の他方側部３１ｂに当接し、刷版押圧板３１をシャフト４１中心に反時計方向に回動させる。
【００４８】
解除バー９２は、他方側部３１ｂに当接するのと同時に、掛止ピン駆動機構５の突起５４にも当接する。これにより第１レバー５６の入力端部５６ｂが下降する。同時に、第１レバー５６の出力端部５６ａとこれにリンクされた第２レバー５８の入力端部５８ｂとが上昇し、第２レバー５８の出力端部５８ａが下降する。これにより刷版２が受け入れ可能になる。
【００４９】
次に、図示しない刷版搬送機構により刷版２を記録ドラム１上の、刷版押圧板３１の一方側部３１ａに対向する位置まで搬送し、刷版２の前端部分に形成された位置決め用の切欠２６を記録ドラム２表面に固設された位置決めピン１６に嵌合させる。なお、この刷版２の先端には先述の掛止孔２７、２７が形成されているものとする。
【００５０】
刷版２の搬送が完了した状態を図９に示す。刷版２は記録ドラム２の表面高さと略同一のｈａ２である。刷版押圧板３１の一方側部３１ａの刷版２を押圧する部位の高さは、刷版２の配置高さｈａ２よりも高いｈａ４である。また、掛止ピン駆動機構５の掛止ピン５３は記録ドラム２表面に形成された第１レバー収納孔２２ａ内にありその先端の高さは刷版２の配置高さｈａ２よりも低いｈａ１である。
【００５１】
一方、解除バー９２の先端、刷版押圧板３１の解除バー当接点、突起５４の解除バー当接点は、それぞれ高さｈｂ１にある。
【００５２】
刷版２の記録ドラム１表面への位置あわせが完了すると、解除バー９２は高さｈｂ２まで上昇する。この状態を図１０に示す。刷版押圧板３１の他方側部３１ｂは記録ドラム１表面の円形孔２３ａ（図５、図６参照）内に立設されたスプリング（図示せず）によって記録ドラム２表面から離反する方向に付勢されている。また、掛止ピン駆動機構５の第１レバー５６の入力端部５６ｂもスプリング６４により記録ドラム２表面から離反する方向に付勢されているので、解除バー９２の上昇によって刷版押圧板３１および第１レバー５６は時計方向に回動する。この結果、解除バー９２の先端、刷版押圧板３１の解除バー当接点、突起５４の解除バー当接点は、それぞれ高さｈｂ２まで上昇する。
【００５３】
刷版押圧板３１の回動により一方側部３１ａはｈａ４からｈａ２まで下降し、刷版２を押圧する。一方側部３１ａの刷版接触面はセラミック加工が施され細かな凹凸が形成されているので摩擦力が増加している。このため刷版２は記録ドラム２上に強固に固定される。
【００５４】
第１レバー５６の時計方向の回動により第１レバー５６の出力端部５６ａが下降し、該出力端部５６ａに形成されたスリット６０にはめ込まれた結合ピン６４も下降する。これにより、第２レバー５８は支持ピン５９を中心にして反時計方向に回動し、掛止ピン５３はその先端が高さｈａ２の略下高さに至るまで上昇する。したがって、この段階では、掛止ピン５３はまだ刷版２の掛止孔２７に嵌合していない。
【００５５】
解除バー９２がさらに上昇し高さｈｂ４に達した段階を図１１に示す。
【００５６】
刷版押圧板３１の動きはその一方端部３１ａに当接する刷版２によって規制されているので、図１０の段階のままである。
【００５７】
一方、掛止ピン駆動機構５の動きは刷版２によって規制されていないので、解除バー９２の上昇に追随し突起５４の先端は高さｈｂ２からｈｂ３まで上昇する。これにより第２レバー５６は時計方向に、第２レバー５８は反時計方向にさらに回動する。この結果、掛止ピン５３は高さｈａ３に達する。この段階で初めて掛止ピン５３は刷版２の掛止孔２７に嵌合する。
【００５８】
このように、本描画装置では刷版２を刷版押圧板３１で押圧するだけでなく、掛止ピン５３を刷版２の掛止孔２７に嵌合させて刷版固定を行っているので、刷版２の記録ドラム１の周方向の移動が確実に規制される。このため記録ドラム１の回転中に刷版２が脱落する可能性がなくなり本描画装置の安全性はさらに向上する。
【００５９】
＜掛止孔２７がない刷版２が供給される場合＞
【００６０】
刷版２は描画装置において描画がなされた後、印刷機に運ばれ版胴に装着される。版胴には刷版を位置決めするためのピンが設けられている。ピンの位置、サイズ、数などには様々な規格があり、印刷機において使用されるピン規格が、描画装置において使用される掛止孔と抵触することも考えられる。また製版の段階ではまだ印刷機が決まっていなくて製版後にトンボ基準でアフターパンチを開けるユーザーも多い。これらの場合には、刷版に予め掛止孔を設けておくことができない。掛止孔が形成されていない刷版が描画装置の記録ドラムに装着された際に、仮に、刷版押圧板３１による押圧と掛止ピン５３による掛止とが同時に行われるとすると、掛止ピン５３が刷版２に当接し刷版２が位置ずれした状態で、刷版押圧板３１による押圧が行われる恐れがある。これでは正確な描画を行えない。
【００６１】
本装置では掛止孔が形成されていない刷版に対しても正確な描画を行うために、刷版押圧板３１による刷版２の押圧固定が完了した後に、掛止ピンを上昇させて刷版２に当接（あるいは刷版２の掛止孔２７に掛止）させる。
【００６２】
図１２は、掛止孔２７が形成されていない刷版２が供給されたときの掛止ピン駆動機構５の断面図である。先に図１１を用いて説明したように、刷版２に掛止孔２７が形成されている場合には掛止ピン５３は掛止孔２７を通過して高さｈａ３に達するが、掛止孔２７が形成されていないときには図１２に示すように掛止ピン５３は刷版２に上昇を拒まれて高さｈａ２に達するのみである。しかし、掛止ピン５３が刷版２の裏面に接触するときには、すでに前端押さえ３による刷版２の押圧固定が完了しているので（図１０参照）、掛止ピン５３の上記接触によって刷版２が微動することはなく、記録ドラム１上で正確に位置決めされた刷版２に対して描画を行うことができる。
【００６３】
＜刷版支持装置７＞
【００６４】
次に刷版支持装置７を説明する。刷版支持装置７は後端クランプ固定溝１５の底面に形成された凹部１４（図４、図５参照）に固着される部材である。凹部１４は刷版２の搬送方向（矢印Ｂ方向）に関して平坦部１８の手前位置に設けられているので、刷版支持装置７は記録ドラム１の周面に固定される刷版２の前端部分を裏面から支持できる。
【００６５】
図１３は刷版支持装置７を刷版搬送方向Ｂから見た斜視図であり、図１４は刷版支持装置７の下からの分解斜視図である。刷版支持装置７は下部分７０と上部分７５と、これらを連結するネジ８２とからなっている。下部分７０は底面７１と摺動面７２とからなり、底面７１に設けられた孔７３を通過するボルト８０によってドラム１表面の凹部１４に固定される。上部分７５は摺動面７７と支持面７８とからなり、摺動面７７に設けられた長孔７９を通過するネジ８２、スペーサ８４によって下部分の摺動面７２に連結される。
【００６６】
下部分７０と上部分７５とを連結するネジ８２が通過する長孔７９の長手方向長さは、スペーサ８４の直径より長いので、上部分７５は下部分７０の摺動面７２に沿って摺動可能である。
【００６７】
図１５、図１６は刷版支持装置７が記録ドラム１に取り付けられた状態を示す斜視図である。刷版支持装置７の上部分７５はその自重により支持面７８が記録ドラム１の表面よりも下である。この状態で刷版２が供給される。刷版２は上部分７５によって妨げられることなく平坦部１８に到達し、位置決めピン１６で位置決めされ前端クランプ３により押圧される（図３参照）。その後、記録ドラム１上に形成された吸引溝１１，１２（図４参照）により刷版２を記録ドラム１表面に真空吸着する。
【００６８】
描画が開始され記録ドラム１が高速回転し始めると遠心力により刷版支持装置７の上部分７５は後端クランプ固定溝１５から突出する方向に付勢される。これにより上部分７５は下部分７０の摺動面７２に沿って上方に移動し、その支持面７８が刷版２の裏面に当接しこれを下から支持する。これにより刷版２が後端クランプ固定溝１５に沈下することが防止される。
【００６９】
仮に後端クランプ固定溝１５中に刷版支持装置７が配置されていなかったとすると、刷版２は真空吸着時に後端クランプ固定溝１５に落ち込んで変形する恐れがある。このように変形すると、焦点距離の短い光学系を記録ヘッドに使用したときには正確な描画が行えなくなることがある。本描画装置では刷版支持装置７が、描画中、刷版２を下から支持することにより刷版２の上記変形を防ぎ、刷版２に対する良好な描画を保証している。
【図面の簡単な説明】
【図１】  本発明の一実施例における描画装置の概略側面図である。
【図２】  本発明の一実施例において使用される刷版の前端部分を示す図面である。
【図３】  本発明の一実施例における記録ドラム１の表面を示す分解斜視図である。
【図４】  本発明の一実施例における記録ドラム１の表面を示す分解斜視図である。
【図５】  本発明の一実施例における記録ドラム１の表面を示す分解斜視図である。
【図６】  本発明の一実施例における記録ドラム１の表面の一部断面図である。
【図７】  本発明の一実施例における前端クランプ３の底面図である。
【図８】  本発明の一実施例における掛止ピン駆動機構５を示す斜視図である。
【図９】  本発明の一実施例における掛止ピン駆動機構５の動作を示す断面図である。
【図１０】  本発明の一実施例における掛止ピン駆動機構５の動作を示す断面図である。
【図１１】  本発明の一実施例における掛止ピン駆動機構５の動作を示す断面図である。
【図１２】  本発明の一実施例における掛止ピン駆動機構５動作を示す断面図である。
【図１３】  本発明の一実施例における刷版支持装置７の斜視図である。
【図１４】  本発明の一実施例における刷版支持装置７の分解斜視図である。
【図１５】  本発明の一実施例における刷版支持装置７の斜視図である。
【図１６】  本発明の一実施例における刷版支持装置７の斜視図である。
【図１７】  従来の描画装置における記録ドラムの概略側面図である。
【図１８】  従来の描画装置における記録ドラム１１０の斜視図である。
【図１９】  従来の描画装置における後端クランプ１６０の分解斜視図である。
【図２０】  従来の描画装置における後端クランプ１６０の一部断面図である。
【図２１】  従来の描画装置における後端クランプ１６０の一部断面図である。
【符号の説明】
１  記録ドラム
２  刷版
３  前端クランプ
５  掛止ピン駆動機構
７  刷版支持装置
１１ 吸引溝
１２ 吸引溝
１３ 溝
１４ 凹部
１５ 後端クランプ固定溝
１６  位置決めピン
１７  円形凹部
１８  平坦部
１９  凹部
２０  円形凹部
２１  凹部
２２  正方凹部
２２a 第１レバー収納穴
２３  長方凹部
２３a 円形穴
２４  他方端収納溝
２６  切欠
２７  掛止孔
２８  前端片
３１  刷版固定板
３１a 一方側部
３１b 他方側部
３２  長孔
３３  矩形孔
３５  スプリング固定ピン
４０  軸受
４１  シャフト
４２  スペーサ
４３  ボルト
５１  台座
５２  台座の溝
５３  掛止ピン
５４  突起
５６  第１レバー
５６a 入力端部
５６b出力端部
５７  支持ピン
５８  第２レバー
５８a入力端部
５８b出力端部
５９  支持ピン
６０  スリット
６２  結合ピン
６４  スプリング
７０  下部分
７１  底面
７２  摺動面
７３  孔
７４  孔
７５  上部分
７７  摺動面
７８  支持面
７９  長孔
８０  ボルト
８２  ネジ
８４  スペーサ
９０  後端クランプ
９１  前端クランプ押圧装置
９２  解除バー
９４  後端クランプ保持装置
９５  保持ピン
９６  記録ヘッド
９７  側板
１１０  従来の記録ドラム
１１１  従来の記録ドラムのクランプ溝
１２０  従来の刷版
１３０  従来の前端クランプ
１６０  従来の後端クランプ
１７０  従来の前端クランプ押圧装置
１７１  従来の解除ピン
１８０  従来の後端クランプ保持装置
１８１  従来の保持ピン
１９０  従来の記録ヘッド
１９５  従来の側板
【図１】
0003759851.tif 000002
【図２】
0003759851.tif 000003
【図３】
0003759851.tif 000004
【図４】
0003759851.tif 000005
【図５】
0003759851.tif 000006
【図６】
0003759851.tif 000007
【図７】
0003759851.tif 000008
【図８】
0003759851.tif 000009
【図９】
0003759851.tif 000010
【図１０】
0003759851.tif 000011
【図１１】
0003759851.tif 000012
【図１２】
0003759851.tif 000013
【図１３】
0003759851.tif 000014
【図１４】
0003759851.tif 000015
【図１５】
0003759851.tif 000016
【図１６】
0003759851.tif 000017
【図１７】
0003759851.tif 000018
【図１８】
0003759851.tif 000019
【図１９】
0003759851.tif 000020
【図２０】
0003759851.tif 000021
【図２１】
0003759851.tif 000022